(57)【要約】【課題】運転技術が未熟な運転者に、車両速度に適した変速情報を提供し、かつ速度に適さないギア変速により車両が損傷することを防止する、変速情報提供機能を有する移動通信端末機およびこれを用いた変速情報提供方法を提供する。【解決手段】移動通信端末機は、車両の走行速度データを得る速度検出部と、速度検出部から受けた車両の走行速度データを分析し、車両の変速条件に該当する場合、相応する制御信号を出力する制御部と、制御部の制御信号によって、ユーザに変速案内メッセージを出力する音声出力部と、を備える。【選択図】図１
2006168722.tif 000002
【特許請求の範囲】
【請求項１】
速度データを得る速度検出部と、
前記速度検出部から提供される速度データを分析し、車両のギア変速条件に該当する場合、相応する制御信号を出力する制御部と、
前記制御部の制御信号によって、ユーザにギア変速案内メッセージを出力する音声出力部と、
を備えることを特徴とする変速情報提供機能を有する移動通信端末機。
【請求項２】
走行速度に適した変速情報を格納しているメモリを備えることを特徴とする請求項１に記載の変速情報提供機能を有する移動通信端末機。
【請求項３】
前記速度検出部は、二軸加速度センサを有することを特徴とする請求項１に記載の変速情報提供機能を有する移動通信端末機。
【請求項４】
前記速度検出部は、全地球測位システム（Ｇｌｏｂａｌ Ｐｏｓｉｔｉｏｎｉｎｇ Ｓｙｓｔｅｍ：ＧＰＳ）を有することを特徴とする請求項１に記載の変速情報提供機能を有する移動通信端末機。
【請求項５】
前記制御部は、
前記速度検出部から得たアナログ走行速度データを受け、デジタルデータに変換するＡＤ変換器と、
前記ＡＤ変換器によって変換されたデジタルタイプの走行速度データを受け、前記走行速度データが車両の所定ギア変速条件を満たすか否かを判断して、相応する制御信号を出力するプロセッサと、
前記プロセッサの制御信号によって、前記音声出力部に提供される音声信号を生成するコーデックと、
を備えることを特徴とする請求項１に記載の変速情報提供機能を有する移動通信端末機。
【請求項６】
前記変速案内メッセージは、ユーザの音声をエンコードして格納したデジタル信号であることを特徴とする請求項１に記載のギア変速情報提供機能を有する移動通信端末機。
【請求項７】
速度情報を得る過程と、
前記速度が車両のギア変速条件に符合するか否かを判断する過程と、
車両のギア変速条件に該当する場合、前記速度に相応する音声データを読み込む過程と、
前記読み込んだ音声データを用いて、変速案内音声メッセージを出力する過程と、
を含むことを特徴とする移動通信端末機を用いた変速情報提供方法。
【請求項８】
前記車両速度獲得過程は、移動通信端末機に設けられた二軸加速度センサを用いて行われることを特徴とする請求項７に記載の移動通信端末機を用いた変速情報提供方法。
【請求項９】
前記車両速度獲得過程は、全地球測位システム（ＧＰＳ）信号を用いて行われることを特徴とする請求項７に記載の移動通信端末機を用いた変速情報提供方法。
【請求項１０】
前記変速条件は、ユーザによって設定可能であることを特徴とする請求項７に記載の移動通信端末機を用いた変速情報提供方法。
【請求項１１】
前記音声出力過程が、
デジタル信号で圧縮された音声データを復号化する段階と、
復号化したデジタル音声データをアナログ信号に変換する段階と、
を含むことを特徴とする請求項７に記載の移動通信端末機を用いた変速情報提供方法。
【請求項１２】
前記音声データが、ユーザにより録音されたものであることを特徴とする請求項７に記載の移動通信端末機を用いた変速情報提供方法。
【発明の詳細な説明】
【技術分野】
【０００１】
本発明は、移動通信端末機に関し、より詳しくは、自動車や自動二輪車などの車両の走行速度に応じたギア変速情報を音声で知らせる移動通信端末機およびこれを用いた変速情報提供方法に関する。
【背景技術】
【０００２】
従来の自動車や自動二輪車のギア変速（トランスミッション）には、自動変速方式（オートマチックトランスミッション）と手動変速方式（マニュアルトランスミッション）とがある。自動変速方式は、手動変速方式に比べて、さらに費用をかけて取り付ける必要がある。一方、手動変速方式は、運転者が常時自動車の速度計を見ながら、ギアを変速して運転するので、操作が煩雑であった。また、速度によってギア変速を行わない場合、自動車のエンジンに負荷がかかるという問題点があった。
【発明の開示】
【発明が解決しようとする課題】
【０００３】
本発明は上記の問題点を解決するためのもので、その目的は、運転技術が未熟な運転者に、車両速度に適した変速情報を提供することにある。
【０００４】
本発明の他の目的は、速度に適さないギア変速により車両が損傷することを防止することにある。
【課題を解決するための手段】
【０００５】
上記目的を達成するために、本発明に係る移動通信端末機は、車両の走行速度データを得る速度検出部と、前記速度検出部から提供される車両の走行速度データを分析し、車両の変速条件に該当する場合、相応する制御信号を出力する制御部と、前記制御部の制御信号に応じて、ユーザに変速案内メッセージを出力する音声出力部と、を備えることを特徴とする。
【０００６】
また、本発明に係る移動通信端末機の細部構成によると、さらに、走行速度に適した変速情報を格納しているメモリを備えることを特徴とする。
【０００７】
また、本発明に係る移動通信端末機の他の細部構成によると、前記速度検出部が、二軸加速度センサおよび／または全地球測位システム（Ｇｌｏｂａｌ Ｐｏｓｉｔｉｏｎｉｎｇ Ｓｙｓｔｅｍ：ＧＰＳ）を有することを特徴とする。
【０００８】
また、本発明に係る移動通信端末機の他の細部構成によると、前記制御部が、前記速度検出部から得たアナログ走行速度データを受けて、デジタルデータに変換するＡＤ変換器と、前記ＡＤ変換器によって変換されたデジタルタイプの走行速度データを受けて、前記走行速度データが車両の所定変速条件を満たすか否かを判断して、相応する制御信号を出力するプロセッサと、前記プロセッサの制御信号によって、前記音声出力部に提供すべき音声信号を生成するコーデックと、を備えることを特徴とする。
【０００９】
本発明に係る移動通信端末機を用いた変速情報提供方法は、走行中の車両の速度情報を得る過程と、前記車両速度が変速条件に符合するか否かを判断する過程と、変速条件に該当する場合、前記車両速度に相応する音声データを読み込む過程と、読み込んだ音声データを用いて、変速案内音声メッセージを出力する過程と、を含むことを特徴とする。
【００１０】
本発明に係る移動通信端末機を用いた変速情報提供方法の細部構成によると、前記車両速度獲得工程が、移動通信端末機に設けられた二軸加速度センサおよび／または全地球測位システム（ＧＰＳ）信号を用いて行われることを特徴とする。
【発明の効果】
【００１１】
本発明に係る移動通信端末機を用いた自動車ギア変速情報提供装置およびその提供方法によると、自動車の走行速度に応じたギア変速情報を音声で提供して、より安全にかつ効率的にギア変速を提供することができる効果がある。
【発明を実施するための最良の形態】
【００１２】
以下、本発明に係る変速情報提供機能を有する移動通信端末機およびこれを用いた変速情報提供方法の好適な実施例について、添付の図面に基づいて詳細に説明する。上述した目的、特徴、および長所（効果）は、添付図面と関連した以下の詳細な説明によってさらに明らかとなるものである。
【００１３】
図１は、本発明に係る移動通信端末機の主要構成要素を示すブロック図である。その構成をみると、移動通信端末機は、車両の走行速度データを得る速度検出部１００と、該速度検出部１００から提供される車両の走行速度データを分析し、該分析結果が車両の変速条件に該当する場合、相応する制御信号を出力する制御部４００と、該制御部４００の制御信号によって、ユーザに変速案内のメッセージを出力するスピーカ６００と、走行速度に適した変速情報を制御部４００に提供するメモリ５００と、 ユーザの動作の意思を電気的信号に変換して制御部４００に提供するキーパッド２００と、ユーザの音声信号を制御部４００に提供するマイク３００と、を備える。
【００１４】
速度検出部１００は、二軸加速度センサ（bi-shaft acceleration sensor）または全地球測位システム（ＧＰＳ）を用いて構成される。時間ごとに、車両の現在位置の移動変位情報を用いて、車両の速度を検出する。一定の時間毎に、車両の走行速度データを得て、制御部４００のＡＤ変換器４１０に伝達する。
【００１５】
メモリ５００には、走行速度情報と、これによるギア変速を指示する音声データとがマッピングされている。
【００１６】
制御部４００は、移動通信端末機の移動局モデム（ＭＳＭ：Ｍｏｂｉｌｅ Ｓｔａｔｉｏｎ Ｍｏｄｅｍ）であって、速度検出部１００から得たアナログ走行速度データを受けて、デジタルデータに変換するＡＤ変換器４１０と、該ＡＤ変換器４１０によって変換されたデジタルタイプの走行速度データを受けて、該走行速度データが車両の所定変速条件を満たすか否かを判断して、相応する制御信号を出力するプロセッサ４２０と、該プロセッサ４２０の制御信号に応じて、スピーカ６００に提供される音声信号を生成するコーデック４３０と、を備えている。
【００１７】
ＡＤ変換器４１０は、速度検出部１００から得たアナログ走行速度データを受けて、デジタル信号に変換してプロセッサ４２０に提供する。プロセッサ４２０は、デジタル信号に変換された走行速度情報を受けて、メモリ５００に格納された音声データに対するマッピング情報と一致するか否かを判断する。車両の変速条件に符合する場合、メモリ５００に格納された音声データを復号化してコーデック４３０に伝達する。
【００１８】
コーデック４３０は、プロセッサ４２０から提供された音声データを、アナログ信号に変換してスピーカ６００に提供する。
【００１９】
スピーカ６００は、コーデック４３０から提供されたアナログ音声データを可聴音として出力する。
【００２０】
スピーカ６００としては、移動通信端末機の外部スピーカ、イヤーマイク、および車載用ハンズフリーのスピーカなどが挙げられる。
【００２１】
図２は、本発明の一実施形態に係る移動通信端末機を用いた自動車ギア変速情報提供方法を示すフローチャートである。前提としては、移動通信端末機のメニュー項目に「ギア変速通知設定」メニューが追加されなければならない。お知らせメッセージは、メモリに内蔵されるか、外部から得るか、またはユーザにより直接録音などの方法でメモリに格納することができる。
【００２２】
例えば、「現在走行速度は２０ｋｍです。２段に変速して下さい。」、「現在走行速度は４０ｋｍです。３段に変速して下さい。」、「現在走行速度は６０ｋｍです。４段に変速して下さい。」、「現在走行速度は８０ｋｍです。５段に変速して下さい。」などの音声メッセージが格納される。また、音声メッセージは、車両の速度に対応するようにマッピングされて格納される。
【００２３】
速度検出部１００を用いて、走行速度情報を得る（Ｓ２１）。
【００２４】
プロセッサ４２０は、Ｓ２１で得た走行速度情報と、メモリ６００に格納された音声データのマッピング情報とが一致するか否かを確認して、車両の変速条件に符合するか否かを判断する（Ｓ２２）。
【００２５】
Ｓ２１で得た走行速度情報とマッピング情報とが一致すると、マッピング情報に対する音声データーを読み込む（Ｓ２３）。
【００２６】
読み込んだ音声データをデコードして、コーデックを通じてアナログ信号に変換し、スピーカから変速案内メッセージを出力する（Ｓ２４）。
【００２７】
以上の内容を通じて、当業者であれば、本発明の技術思想を逸脱しない範囲内で、様々な変更および修正が可能なことがわかる。したがって、本発明の技術的範囲は、明細書の詳細な説明に記載された内容に限定されるものではなく、特許請求の範囲によって定められるべきである。
【図面の簡単な説明】
【００２８】
【図１】本発明の一実施形態に従う移動通信端末機の主要構成要素を示すブロック図である。
【図２】本発明の一実施形態に従う移動通信端末機を用いた自動車ギア変速情報提供方法を示すフローチャートである。
【符号の説明】
【００２９】
１００  速度検出部
２００  キーパッド
３００  マイク
４００  制御部
４１０  ＡＤ変換器
４２０  プロセッサ
４３０  コーデック
５００  メモリ
６００  スピーカ
【図１】
2006168722.tif 000003
【図２】
2006168722.tif 000004